(57)【特許請求の範囲】
【請求項１】
収納する記録ディスクより大きい矩形の紙片の上下方向に、
前記記録ディスクを挿入するスリット状の孔が設けてある前記矩形の紙片の上下方向の長さより短い長さの折り返し片と、
もう一方には前記スリット状の孔が設けてある折り返し片を折り返し、前記記録ディスクの片端を前記紙片の折り返し片のスリット状の孔に上側より挿入した後、前記記録ディスクのもう一方の端を上側より閉じ込むために設けてある前記矩形の紙片の上下方向の長さより短い長さの折り返し片を
それぞれ連接し、
前記矩形の紙片および前記矩形の紙片の上下方向に連接した折り返し片を左右方向に少なくとも２つ以上連接し、
前記矩形の紙片の左右方向のどちらか一方の端部に係止片を連接してなり、
前記矩形の紙片の前記係止片から２つ目に係止用小孔が設けてある
ことを特徴とする記録ディスク用フォルダー。
【発明の詳細な説明】
【０００１】
【発明の属する技術分野】
本発明は、紙を主体としたＣＤ等の記録ディスク用フォルダーに関するものである。
【０００２】
【従来の技術】
従来の技術は、紙製の袋や紙製のフォルダーに入れてあるものが知られている。
しかし、それらは接着剤で貼着してあったり複雑な構造であったりした。
また、複数枚を収納できるもので、紙だけで接着剤もその他の固定手段も用いないものは見られなかった。
ここで、記録ディスクとは、ＣＤ（コンパクトディスク）、ＤＶＤディスク、レーザーディスク、ＣＤ−ＲＯＭ等同様の形態のものをいう。
連接とは繋がっていることであり、連続する紙片に折線用の筋押しからなっているものを含むものである。
【０００３】
【発明が解決しようとする課題】
本発明は、上記問題点を解決すべく、紙のみを用いて接着剤等を用いず、記録ディスクを複数枚収納可能な記録ディスク用フォルダー及びその製造方法を提供することを課題とする。
【０００４】
【課題を解決するための手段】
請求項１に記載の発明は、収納する記録ディスクより大きい矩形の紙片の上下方向に、前記記録ディスクを挿入するスリット状の孔が設けてある前記矩形の紙片の上下方向の長さより短い長さの折り返し片と、もう一方には前記スリット状の孔が設けてある折り返し片を折り返し、前記記録ディスクの片端を前記紙片の折り返し片のスリット状の孔に上側より挿入した後、前記記録ディスクのもう一方の端を上側より閉じ込むために設けてある前記矩形の紙片の上下方向の長さより短い長さの折り返し片をそれぞれ連接し、前記矩形の紙片および前記矩形の紙片の上下方向に連接した折り返し片を左右方向に少なくとも２つ以上連接し、前記矩形の紙片の左右方向のどちらか一方の端部に係止片を連接してなり、
前記矩形の紙片の前記係止片から２つ目に係止用小孔が設けてあることを特徴とする記録ディスク用フォルダーである。
このような構成としたので、上下の折り返し片を向かい合う方向に折り返し、記録ディスクをスリット状の孔に差し込み反対側の折り込み片の下に入れ、矩形の紙片を係止片の方向に巻き込むように折り畳んで、係止片を係止用小孔に差し込むとフォルダーに収納され固定される。従って、本発明の記録ディスク用フォルダーは紙以外接着剤等は使用せず、環境にやさしい。また、複数枚の記録ディスクが収納可能である。
【０００５】
また、本明細書において、請求項１記載の発明に加え、以下に、第２乃至第４の発明を開示する。即ち、第２の発明は、請求項１の係止片と係止用小孔の係止手段を、前記係止編と係止用小孔の代わりにループと茸状突起又はループと鉤の組み合わせにしたことを特徴とする記録ディスク用フォルダーである。
このような構成としたので、係止手段の他は上記の作用効果を奏する。ループと茸状突起又はループと鉤の組み合わせは、繰返し出し入れする場合には使い勝手がよく、トラブルも起きにくい。
【０００６】
第３の発明は、直径１２０ｍｍの記録ディスク用フォルダーにおいて、前記矩形の紙片の大きさが略１４０ｍｍ×１５０ｍｍ、前記折り返し片の大きさが略３５ｍｍ×１５０ｍｍと略７０ｍｍ×１５０ｍｍ，スリット状の小孔が略５ｍｍ×１１０ｍｍであることを特徴とする請求項１又は請求項２記載の記録ディスク用フォルダーである。
このような構成としたので、記録ディスクを２枚以上収納して、巻き込んで係止して収納しても良好に収納可能になる。
【０００７】
第４の発明は、請求項１に記載の記録ディスク用フォルダーを製造するのに、一枚の紙片の打ち抜きと筋押しを同時に行うことを特徴とする記録ディスク用フォルダーの製造方法である。
このような構成としたので、一枚の紙片を打ち抜くことと筋押しで折り込むだけで本発明の記録ディスク用フォルダーが製造できる。
【０００８】
【発明の実施の形態】
実施の形態を図面を用いて詳細に説明する。
図１は本発明の記録ディスク用フォルダー１の一実施の形態を示す展開説明図である。２は記録ディスクより大きい矩形の紙片、３は折り返し片、４は係止片、５は筋押し、６は係止用小孔、７はスリット状の孔である。
図２〜図５は記録ディスク８を収納し、順次折り畳んでいき最終の収納形態になるまでの説明図である。図２は折り返し片３を互いに向かい合う方向（図では上に向けて）に折り曲げ、スリット状の孔７に記録ディスク８を挿入し、他端を上方の折り返し片３の下に入れた状態を示している。図３は図２の右端の記録ディスクより大きい矩形の紙片２を筋押し５を介して折り曲げた状態を示す説明図である。図４は図３の右端の記録ディスクより大きい矩形の紙片２を筋押し５を介して折り曲げた状態を示す説明図である。図５は図４の係止片４を筋押し５を介して折り曲げ、係止用小孔に係止片４の先端を挿入した状態を示す説明図である。
スリット状の孔７は直線的になっているが、特に限定するものでなく曲線でもかまわず、記録ディスクが挿入できればよい。
【０００９】
図６は係止片４と係止用小孔６の別の実施の形態を示す説明図である。係止用小孔６を２つ設け、係止片４の先端を両方に挿入するようにしたものである。また、図７は切り込み１２と係止用小孔６の組み合わせである。このように、係止方法は色々あり、特に例示した方法に限定するものではない。
【００１０】
図８は前記係止片と係止用小孔の代わりに、別の係止方法を用いる場合の実施の形態を示す説明図である。係止片４の先端付近にループ９と係止用小孔の付近に茸状突起１０を設け、これらで着脱をするものである。ループ９と茸状突起１０は入れ代わってもよい。図９はループ９と鉤１０で着脱をする別の形態を示す説明図である。これもループ９と鉤１１は入れ代わってもよい。
【００１１】
記録ディスク８の収納枚数は、図では３枚の例で説明したが２枚以上数十枚まで可能であるが、体裁等を考えれば１０枚程度までが好ましい。
また、紙の厚さは、ある程度の剛性があれば使用できるが、０．１ｍｍ〜１ｍｍぐらいが使用でき、０．２ｍｍ〜０．７ｍｍが好ましい。また、再生紙の利用により、さらに環境にやさしいフォルダーとすることができる。１００％再生紙でも勿論可能である。
印刷は必要により施すことができる。
【００１２】
本発明の記録ディスク用フォルダーの製造方法は、図１に示すような展開図より大きい用紙を用いて、必要な印刷を施してから打ち抜き断裁及び筋押し機で同時に、図１に示すような形状に作製する。
後は筋押しに沿って折り込めばよい。
【００１３】
【実施例】
以下図面を用いて実施例を説明する。
＜実施例１＞
０．２ｍｍのコート紙を用いて、外側から見える部分に、枚葉多色オフセット印刷機で印刷を施した。図１に示すような形状で記録ディスクより大きい矩形の紙片を６枚連接したものとした。記録ディスクとして直径１２０ｍｍのＣＤを用いて、前記矩形の紙片の大きさが略１４０ｍｍ×１５０ｍｍ、前記折り返し片の大きさが略３５ｍｍ×１５０ｍｍと略７０ｍｍ×１５０ｍｍ，スリット状の小孔が略５ｍｍ×１１０ｍｍである記録ディスク用フォルダーを打ち抜き及び筋押し機で製作した。
ＣＤを図２のように挿入し、図３〜図５のように巻き込み係止片で係止用小孔に係止した。収納後のフォルダーの厚さは約１２ｍｍであった。
【００１４】
＜実施例２＞
実施例１と同様に製造しうたが、記録ディスクの枚数を２枚のものを作製した。また、係止の形態を図７のものを選んだ。収納後のフォルダーの厚さは約４ｍｍであった。
【００１５】
【発明の効果】
請求項１に記載の発明は、上下の折り返し片を向かい合う方向に折り返し、記録ディスクをスリット状の孔に差し込み反対側の折り込み片の下に入れ、矩形の紙片を係止片の方向に巻き込むように折り畳んで、係止片を係止用小孔に差し込むとフォルダーに収納され固定されるので、紙以外接着剤等は使用せず、環境にやさしい。また、１００％再生紙を用いることによりさらに環境にやさしくなる。
さらに、複数枚の記録ディスクが収納可能である。
【００１６】
上記第２の発明は、係止手段の他は上記の作用効果を奏する。ループと茸状突起又はループと鉤の組み合わせは、繰返し出し入れする場合には使い勝手がよく、トラブルも起きにくい。
【００１７】
上記第３の発明は、記録ディスクを２枚以上収納して、巻き込んで係止して収納しても良好に収納可能になる。
【００１８】
上記第４の発明は、一枚の紙片を打ち抜くことと筋押しで折り込むだけで本発明の記録ディスク用フォルダーが製造でき、製造工程が簡略化できる。
【図面の簡単な説明】
【図１】本発明の記録ディスク用フォルダーの一実施の形態を示す展開説明図である。
【図２】本発明の記録ディスク用フォルダーの一実施の形態を示す収納途中の説明図である。
【図３】本発明の記録ディスク用フォルダーの一実施の形態を示す収納途中の説明図である。
【図４】本発明の記録ディスク用フォルダーの一実施の形態を示す収納途中の説明図である。
【図５】本発明の記録ディスク用フォルダーの一実施の形態を示す収納途中の説明図である。
【図６】本発明の記録ディスク用フォルダーの係止部分の説明図である。
【図７】本発明の記録ディスク用フォルダーの係止部分の別の説明図である。
【図８】本発明の記録ディスク用フォルダーの係止部分の別の説明図である。
【図９】本発明の記録ディスク用フォルダーの係止部分の別の説明図である。
【符号の説明】
１…記録ディスク用フォルダー  ２…記録ディスクより大きい矩形の紙片  ３…折り返し片  ４…係止片  ５…筋押し  ６…係止用小孔  ７…スリット状の孔  ８…記録ディスク  ９…ループ  １０…茸状突起  １１…鉤  １２…切り込み
【図１】
0003867483.tif 000002
【図２】
0003867483.tif 000003
【図３】
0003867483.tif 000004
【図４】
0003867483.tif 000005
【図５】
0003867483.tif 000006
【図６】
0003867483.tif 000007
【図７】
0003867483.tif 000008
【図８】
0003867483.tif 000009
【図９】
0003867483.tif 000010